(57)【要約】【課題】高温出湯および高温吹き出しが可能な多機能ヒートポンプ装置において、給湯用熱交換器が設けられた第１冷媒流路と室内熱交換器が設けられた第２冷媒流路とにおける熱交換量のアンバランスを、アンバランス防止用の専用の弁を設けることなく抑制する。【解決手段】ヒートポンプ装置１は、圧縮機１３と、給湯用熱交換器１６が設けられた第１冷媒流路１１と室内熱交換器１７が設けられた第２冷媒流路１２とが並列に配置された並列回路１５と、膨張弁１４と、室外熱交換器１９とを順次環状に接続してなる冷媒回路１０を備えている。冷媒回路１０には、冷媒として二酸化炭素が充填されている。第２冷媒流路１２の室内熱交換器１７の下流側に、補助給湯用熱交換器１８が設けられている【選択図】図１
2008014558.tif 000002
【特許請求の範囲】
【請求項１】
圧縮機と、給湯用熱交換器が設けられた第１冷媒流路と空気熱交換器が設けられた第２冷媒流路とが並列に配置された並列回路と、減圧装置と、蒸発器とを順次環状に接続してなる冷媒回路を備えたヒートポンプ装置であって、
前記冷媒回路には、冷媒として二酸化炭素が充填され、
前記第２冷媒流路の前記空気熱交換器の下流側に、補助給湯用熱交換器が設けられている、ヒートポンプ装置。
【請求項２】
水配管を介して前記補助給湯用熱交換器と前記給湯用熱交換器とを上流側から下流側に向かって順に接続してなる水回路を備えている、請求項１に記載のヒートポンプ装置。
【請求項３】
前記水回路は、導出部と当該導出部よりも上方に設けられた導入部とを有する貯湯タンクを備え、
前記水配管は、
上流端が前記貯湯タンクの導出部に接続され、下流端が前記補助給湯用熱交換器に接続された第１水配管と、
前記補助給湯用熱交換器と前記給湯用熱交換器とをつなぐ第２水配管と、
上流端が前記給湯用熱交換器に接続され、下流端が前記貯湯タンクの導入部に接続された第３水配管とを備えている、請求項２に記載のヒートポンプ装置。
【請求項４】
前記補助給湯用熱交換器が設けられた第１水回路と、前記給湯用熱交換器が設けられた第２水回路と、を備え、
前記第１水回路と前記第２水回路とは、並列に配置されている、請求項１に記載のヒートポンプ装置。
【発明の詳細な説明】
【技術分野】
【０００１】
本発明は、並列に配置された給湯用熱交換器および空気熱交換器を備えるヒートポンプ装置に関する。
【背景技術】
【０００２】
従来から、給湯および暖房を実行可能な多機能ヒートポンプ装置が知られている（例えば、下記特許文献１参照）。特許文献１に開示されたヒートポンプ装置は、並列に配置された第１および第２の水冷媒熱交換器を備え、第１水冷媒熱交換器で加熱した温水を用いて浴室の暖房を行う一方、第２水冷媒熱交換器で加熱した温水を用いて浴槽への給湯を行う。
【特許文献１】特開２００４−２２５９２６号公報
【発明の開示】
【発明が解決しようとする課題】
【０００３】
上記特許文献１に開示された多機能ヒートポンプ装置は、室内（浴室内）の暖房に関して、冷媒で加熱した水を用いて、室内空気を加熱するものである。すなわち、室内空気を冷媒で直接加熱するのではなく、水を介在させることによって間接的に加熱するものである。しかし、室内空気を冷媒で直接加熱すれば、熱交換に伴う熱損失がより少なくなる。そのため、ヒートポンプ装置の種類によっては、水冷媒熱交換器に代えて、冷媒と室内空気とを熱交換させる空気熱交換器を設けることが好ましい。
【０００４】
ところで、近年、地球環境の保護等の観点から、フロン系の冷媒から自然冷媒への代替が積極的に進められている。特に、自然冷媒として、二酸化炭素が着目されている。冷媒として二酸化炭素を用いたヒートポンプ装置では、冷媒は冷媒回路の高圧側部分において超臨界状態となり、放熱器の冷媒温度が高温となる。そのため、放熱器として給湯用熱交換器または室内熱交換器を用いた場合、高温出湯および高温吹き出しが可能となる。
【０００５】
しかしながら、冷媒として二酸化炭素を用い、給湯用熱交換器と室内熱交換器とを並列に設けた場合、以下のような課題が生じることとなった。すなわち、通常、給湯負荷は暖房負荷よりも相当大きい。そのため、給湯用熱交換器と室内熱交換器との間で熱交換量のアンバランスが生じ、給湯用熱交換器に比べて室内熱交換器の能力は過剰気味となる。また、室内熱交換器は空気熱交換器で構成され、給湯用熱交換器は水熱交換器で構成されるが、空気熱交換器は水熱交換器に比べて、熱交換量が不十分で、冷媒温度を十分に下げることができない。
【０００６】
ここで、アンバランスを防止するために、室内熱交換器の下流側に流量調整弁を設けることが考えられる。しかし、ヒートポンプ装置の冷媒回路には、冷媒を膨張させる膨張機構（膨張機、膨張弁など）が別途設けられている。そのため、アンバランス防止用の流量調整弁を新たに設けることとすると、当該弁の制御と膨張機構の制御とを同時に行わなければならず、装置全体の制御が複雑化するおそれがある。
【０００７】
本発明は、かかる点に鑑みてなされたものであり、その目的とするところは、給湯用熱交換器が設けられた第１冷媒流路と空気熱交換器が設けられた第２冷媒流路とが並列に配置されたヒートポンプ装置において、アンバランス防止用の専用の弁を設けることなく、第１冷媒流路と第２冷媒流路とにおける熱交換量のアンバランスを抑制することにある。
【課題を解決するための手段】
【０００８】
本発明に係るヒートポンプ装置は、圧縮機と、給湯用熱交換器が設けられた第１冷媒流路と空気熱交換器が設けられた第２冷媒流路とが並列に配置された並列回路と、減圧装置と、蒸発器とを順次環状に接続してなる冷媒回路を備えたヒートポンプ装置であって、前記冷媒回路には、冷媒として二酸化炭素が充填され、前記第２冷媒流路の前記空気熱交換器の下流側に、補助給湯用熱交換器が設けられているものである。
【０００９】
上記ヒートポンプ装置によれば、給湯用熱交換器が設けられた第１冷媒流路と空気熱交換器が設けられた第２冷媒流路とが並列に配置され、冷媒として二酸化炭素が用いられているので、高温出湯および高温吹き出しが可能となる。一方、第２冷媒流路の冷媒は、空気熱交換器で放熱した後、さらに、補助給湯用熱交換器で放熱する。そのため、アンバランス防止用の専用の弁を設けなくても、第１冷媒流路と第２冷媒流路とにおける熱交換量のアンバランスを抑制することができる。
【００１０】
前記ヒートポンプ装置は、水配管を介して前記補助給湯用熱交換器と前記給湯用熱交換器とを上流側から下流側に向かって順に接続してなる水回路を備えていることが好ましい。
【００１１】
第２冷媒流路では、補助給湯用熱交換器における冷媒の温度は、空気熱交換器における冷媒の温度よりも低くなる。その結果、補助給湯用熱交換器における冷媒の平均温度は、給湯用熱交換器における冷媒の平均温度よりも低くなる。そのため、水回路の水は、冷媒の平均温度の低い補助給湯用熱交換器から、冷媒の平均温度がより高い給湯用熱交換器に流れるので、より高温にまで加熱される。したがって、水回路の水に対する加熱効率を向上させることができる。
【００１２】
前記水回路は、導出部と当該導出部よりも上方に設けられた導入部とを有する貯湯タンクを備え、前記水配管は、上流端が前記貯湯タンクの導出部に接続され、下流端が前記補助給湯用熱交換器に接続された第１水配管と、前記補助給湯用熱交換器と前記給湯用熱交換器とをつなぐ第２水配管と、上流端が前記給湯用熱交換器に接続され、下流端が前記貯湯タンクの導入部に接続された第３水配管とを備えていることが好ましい。
【００１３】
水の比重は温度が高いほど小さく、逆に、温度が低いほど大きくなる。そのため、貯湯タンク内の水は、上側にいくほど温度が高く、下側にいくほど温度が低くなる。上記ヒートポンプ装置によれば、給湯用熱交換器から供給される高温の温水は、貯湯タンクの上側に位置する導入部から導入される。一方、補助給湯用熱交換器には、貯湯タンクの下側に位置する導出部から導出される比較的低温の温水が供給される。そのため、水回路の水を効率よく加熱することができる。
【００１４】
ただし、水回路の構成は上記構成に限らず、例えば、前記ヒートポンプ装置は、前記補助給湯用熱交換器が設けられた第１水回路と、前記給湯用熱交換器が設けられた第２水回路と、を備え、前記第１水回路と前記第２水回路とが並列に配置されていてもよい。
【発明の効果】
【００１５】
以上のように、本発明によれば、冷媒として二酸化炭素が用いられ、給湯用熱交換器が設けられた第１冷媒流路と空気熱交換器が設けられた第２冷媒流路とが並列に配置されたヒートポンプ装置において、アンバランス防止用の専用の弁を設けることなく、第１冷媒流路と第２冷媒流路とにおける熱交換量のアンバランスを抑制することができる。
【発明を実施するための最良の形態】
【００１６】
以下、本発明の実施形態を図面に基づいて詳細に説明する。
【００１７】
（第１実施形態）
図１に示すように、第１実施形態に係るヒートポンプ装置は、暖房機能と給湯機能とを有する多機能ヒートポンプ装置１である。ヒートポンプ装置１は、冷媒回路１０と、給湯回路４０と、給湯利用回路５０とを備えている。冷媒回路１０には、冷媒として二酸化炭素が充填されている。給湯回路４０および給湯利用回路５０は、水が流れる水回路である。
【００１８】
冷媒回路１０は、圧縮機１３と、第１冷媒流路１１と第２冷媒流路１２とが並列に配置された並列回路１５と、減圧装置としての膨張弁１４と、室外熱交換器１９とを順次環状に接続することによって構成されている。第１冷媒流路１１には、給湯用熱交換器１６が設けられている。第２冷媒流路１２には、上流側から下流側に向かって順に室内熱交換器１７と補助給湯用熱交換器１８とが設けられている。
【００１９】
本実施形態では、減圧装置は膨張弁１４によって構成されているが、減圧装置の具体的構成は何ら限定されない。減圧装置として、膨張機を用いることも可能である。また、圧縮機１３と膨張機とを回転軸を介して連結し、膨張機における冷媒の膨張エネルギーの一部または全部を、圧縮機１３の駆動用エネルギーとして利用するようにしてもよい。
【００２０】
給湯用熱交換器１６および補助給湯用熱交換器１８は、冷媒と水とを熱交換させる熱交換器である。給湯用熱交換器１６および補助給湯用熱交換器１８の具体的構成は何ら限定されず、例えば、二重管式の熱交換器やプレート式熱交換器等を好適に用いることができる。
【００２１】
室内熱交換器１７および室外熱交換器１９は、冷媒と空気とを熱交換させる空気熱交換器である。室内熱交換器１７および室外熱交換器１９の具体的構成は何ら限定されず、例えば、フィンアンドチューブ式の熱交換器を好適に用いることができる。室内熱交換器１７および室外熱交換器１９に対しては、空気を供給する室内送風機２１および室外送風機２２がそれぞれ配置されている。
【００２２】
給湯回路４０は、貯湯タンク４１と、補助給湯用熱交換器１８と、給湯用熱交換器１６と、循環ポンプ４２とが水配管を介して順次環状に接続されて構成されている。貯湯タンク４１の上下方向中間位置よりも上側には、水を導入する導入部４１ａが設けられ、上下方向中間位置よりも下側には、水を導出する導出部４１ｂが設けられている。貯湯タンク４１の導出部４１ｂと補助給湯用熱交換器１８の水側流路の入口側とは、第１水配管３１を介して接続されている。補助給湯用熱交換器１８の水側流路の出口側と給湯用熱交換器１６の水側流路の入口側とは、第２水配管３２を介して接続されている。給湯用熱交換器１６の水側流路の出口側と貯湯タンク４１の導入部４１ａとは、第３水配管３３を介して接続されている。なお、本実施形態では循環ポンプ４２は第３水配管３３に設けられているが、循環ポンプ４２の設置位置は第３水配管３３に限定される訳ではない。
【００２３】
給湯利用回路５０には、貯湯タンク４１と、温水が供給される排水機器（例えば、蛇口など）５２とが接続されている。給湯利用回路５０は、温度調整バルブ５１を有する温度調整回路５３を備えている。貯湯タンク４１内の温水を利用する際には、給湯利用回路５０を通じて排水機器５２に温水が供給される。この給湯利用回路５０では、温度調整バルブ５１で混合水道水の量を調整することができる。これにより、利用機器５４（例えば、浴槽など）に供給される温水の温度を調整することができる。
【００２４】
次に、冷媒回路１０における冷媒の循環動作、および給湯回路４０における温水の循環動作について説明する。
【００２５】
冷媒回路１０にあっては、圧縮機１３に吸入された冷媒は、圧縮機１３によって圧縮され、臨界圧力よりも高い圧力（超臨界圧力）の高圧冷媒となる。圧縮機１３から吐出された高圧冷媒は、並列回路１５において分流し、一部の冷媒は第１冷媒流路１１に流入し、他の冷媒は第２冷媒流路１２に流入する。
【００２６】
第１冷媒流路１１に流入した高圧冷媒は、給湯用熱交換器１６において、給湯回路４０の水と熱交換を行い、上記水を加熱する。
【００２７】
第２冷媒流路１２に流入した高圧冷媒は、室内熱交換器１７において、室内空気と熱交換を行い、室内空気を加熱する。室内熱交換器１７を流出した高圧冷媒は、次に、補助給湯用熱交換器１８において、給湯回路４０の水と熱交換を行い、当該水を加熱する。
【００２８】
第１冷媒流路１１の給湯用熱交換器１６を流出した冷媒と、第２冷媒流路１２の補助給湯用熱交換器１８を流出した冷媒とは合流し、膨張弁１４で減圧されて、低圧冷媒となる。この低圧冷媒は、室外熱交換器１９において、室外空気と熱交換を行って蒸発する。そして、室外熱交換器１９を流出した冷媒は、圧縮機１３に吸入され、再び上述の循環動作を繰り返す。
【００２９】
給湯回路４０では、貯湯タンク４１内の水が導出部４１ｂから導出され、始めに、補助給湯用熱交換器１８に流入する。この水は、補助給湯用熱交換器１８において、冷媒回路１０の第２冷媒流路１２の冷媒によって加熱され、温度上昇する。補助給湯用熱交換器１８で加熱された水は、続いて給湯用熱交換器１６に流入し、この給湯用熱交換器１６において、冷媒回路１０の第１冷媒流路１１の冷媒によって加熱される。これにより、水の温度はさらに上昇する。そして、給湯用熱交換器１６を流出した水は、循環ポンプ４２を経て、導入部４１ａから貯湯タンク４１に導入される。
【００３０】
以上のように、本実施形態に係るヒートポンプ装置１によれば、給湯用熱交換器１６が設けられた第１冷媒流路１１と室内熱交換器１７が設けられた第２冷媒流路１２とが並列に配置され、冷媒として二酸化炭素が用いられている。そのため、給湯用熱交換器１６によって高温出湯が可能になるとともに、室内熱交換器１７および室内送風機２１によって空気の高温吹き出しが可能となる。また、第２冷媒流路１２の冷媒は、室内熱交換器１７で放熱した後、さらに、補助給湯用熱交換器１８で放熱する。そのため、アンバランス防止用の特別の弁を設けなくても、第１冷媒流路１１と第２冷媒流路１２とにおける熱交換量のアンバランスを抑制することができる。このように、本実施形態によれば、高温出湯および高温吹き出しの両方を実現可能なヒートポンプ装置１において、アンバランス防止用の弁を設けることなく、並列回路１５の熱交換量のアンバランスを抑制することが可能となる。
【００３１】
第２冷媒流路１２において、補助給湯用熱交換器１８は、室内熱交換器１７よりも下流側に配置されている。そのため、補助給湯用熱交換器１８の冷媒の平均放熱温度は、給湯用熱交換器１６の冷媒の平均放熱温度よりも低くなる。しかし、本ヒートポンプ装置１によれば、給湯回路４０は、貯湯タンク４１内の水を補助給湯用熱交換器１８および給湯用熱交換器１６の順に供給するように構成されている。そのため、給湯回路４０の水は、冷媒温度の低い方から高い方に順に流れていく。したがって、本実施形態によれば、水の加熱効率が向上する。
【００３２】
本実施形態では、貯湯タンク４１内の水を、貯湯タンク４１の下側に位置する導出部４１ｂから導出する。また、補助給湯用熱交換器１８および給湯用熱交換器１６によって加熱されて高温になった水は、貯湯タンク４１の上側に位置する導入部４１ａから貯湯タンク４１内に導入される。そのため、補助給湯用熱交換器１８に対して、より低温の水が供給されるので、給湯回路４０の水を効率よく加熱することができる。また、貯湯タンク４１内の水の温度分布を、下方から上方に行くに従って温度が高くなるようにすることができる（温度成層）。そのため、貯湯タンク４１において、温水をより好適に貯留することができる。
【００３３】
なお、本実施形態では、給湯回路４０は、補助給湯用熱交換器１８と給湯用熱交換器１６とを水配管３１，３２，３３を介して上流側から下流側に向かって順に接続することによって構成されていた。すなわち、補助給湯用熱交換器１８と給湯用熱交換器１６とは、直列に接続されていた。しかし、給湯回路４０は、補助給湯用熱交換器１８と給湯用熱交換器１６とを並列に配置したものであってもよい。例えば、図２に示すように、給湯回路４０は、給湯用熱交換器１６が設けられた第１水回路３７と、補助給湯用熱交換器１８が設けられた第２水回路３８とを備え、これら第１水回路３７と第２水回路３８とが互いに並列に配置されていてもよい。なお、貯湯タンク（図示せず）は、第１水回路３７と第２水回路３８とで共通化されていてもよく、回路３７，３８ごとにそれぞれ異なる貯湯タンク（図示せず）が設けられていてもよい。
【００３４】
（第２実施形態）
図３に示すように、第２実施形態に係るヒートポンプ装置は、給湯に加え、冷房および暖房を選択的に実行可能な多機能ヒートポンプ装置２である。以下の説明では、第１実施形態と同様の部分には同様の符号を付し、それらの説明は省略する。
【００３５】
本実施形態では、減圧装置は膨張機１４ａによって構成されている。図示は省略するが、圧縮機１３と膨張機１４ａとは回転軸を介して連結されており、膨張機一体型圧縮機を構成している。
【００３６】
本ヒートポンプ装置２では、第２冷媒流路１２に、流路切換弁として、四方弁６１および四方弁６２が設けられている。
【００３７】
四方弁６１は、第２冷媒流路１２における上流側分岐部１５ｃの下流側に配置されている。四方弁６１の第１ポートａは配管を介して上流側分岐部１５ｃに接続され、第２ポートｂは配管を介して室内熱交換器１７に接続され、第３ポートｃは配管を介して圧縮機１３の吸入側に接続され、第４ポートｄは配管を介して室外熱交換器１９に接続されている。四方弁６１は、第１ポートａと第２ポートｂとが連通し、かつ、第３ポートｃと第４ポートｄとが連通する状態（第１状態）と、第１ポートａと第４ポートｄとが連通し、かつ、第２ポートｂと第３ポートｃとが連通する状態（第２状態）との間で切換自在である。
【００３８】
四方弁６２は、膨張機１４ａの下流側に配置されている。四方弁６２の第１ポートａは配管を介して膨張機１４ａの吐出側に接続され、第２ポートｂは配管を介して室内熱交換器１７に接続され、第３ポートｃは配管を介して補助給湯用熱交換器１８に接続され、第４ポートｄは配管を介して室外熱交換器１９に接続されている。四方弁６２も、第１ポートａと第２ポートｂとが連通し、かつ、第３ポートｃと第４ポートｄとが連通する状態（第１状態）と、第１ポートａと第４ポートｄとが連通し、かつ、第２ポートｂと第３ポートｃとが連通する状態（第２状態）との間で切換自在である。
【００３９】
本実施形態においても、給湯回路４０は、貯湯タンク４１と、貯湯タンク４１の導出部４１ｂと補助給湯用熱交換器１８の入口側とをつなぐ第１水配管３１と、補助給湯用熱交換器１８の出口側と給湯用熱交換器１６の入口側とをつなぐ第２水配管３２と、給湯用熱交換器１６の出口側と貯湯タンク４１の導入部４１ａとをつなぐ第３水配管３３と、を備えている。本実施形態では、循環ポンプ４２は第１水配管３１に設けられている。ただし、循環ポンプ４２の設置位置は何ら限定される訳ではない。本実施形態においても、貯湯タンク４１の導入部４１ａは、導出部４１ｂよりも上方に配置されている。
【００４０】
暖房および給湯を同時に行う暖房給湯運転時には、四方弁６１は第１状態に設定され、四方弁６２は第２状態に設定され、冷媒が以下のように循環する。
【００４１】
すなわち、図３に実線矢印で示すように、圧縮機１３から吐出された冷媒は、上流側分岐部１５ｃにおいて分流し、一部の冷媒は第１冷媒流路１１を流れ、他の冷媒は第２冷媒流路１２を流れる。第１冷媒流路１１に流れ込んだ冷媒は、給湯用熱交換器１６において放熱し、給湯回路４０の水を加熱する。一方、第２冷媒流路１２に流れ込んだ冷媒は、四方弁６１を通過した後、室内熱交換器１７で放熱し、室内空気を加熱する。
【００４２】
室内熱交換器１７を流出した冷媒は、四方弁６２を通過した後、補助給湯用熱交換器１８に流入する。この冷媒は、補助給湯用熱交換器１８において、給湯回路４０の水を加熱する。そして、補助給湯用熱交換器１８を流出した冷媒は、給湯用熱交換器１６からの冷媒と合流し、膨張機１４ａに吸入される。
【００４３】
膨張機１４ａに吸入された冷媒は膨張し、膨張機１４ａから吐出される。膨張機１４ａから吐出された冷媒は、四方弁６２を通過した後、室外熱交換器１９で蒸発する。室外熱交換器１９を流出した冷媒は、四方弁６１を通過し、圧縮機１３に吸入される。そして、圧縮機１３に吸入された冷媒は、再び圧縮機１３から吐出され、上述の循環動作を繰り返す。
【００４４】
給湯回路４０においては、貯湯タンク４１内の水が循環ポンプ４２によって送り出され、補助給湯用熱交換器１８および給湯用熱交換器１６において順次加熱される。そして、加熱された高温の水が貯湯タンク４１に回収される。
【００４５】
なお、給湯利用回路５０の動作は第１実施形態と同様であるので、説明を省略する。給湯利用回路５０は、必要に応じて運転される。
【００４６】
冷房および給湯を同時に行う冷房給湯運転時には、四方弁６１は第２状態に設定され、四方弁６２は第１状態に設定され、冷媒が以下のように循環する。
【００４７】
すなわち、図４に実線矢印で示すように、圧縮機１３から吐出された冷媒は、上流側分岐部１５ｃにおいて分流し、一部の冷媒は第１冷媒流路１１を流れ、他の冷媒は第２冷媒流路１２を流れる。第１冷媒流路１１に流れ込んだ冷媒は、給湯用熱交換器１６において放熱し、給湯回路４０の水を加熱する。一方、第２冷媒流路１２に流れ込んだ冷媒は、四方弁６１を通過した後、室外熱交換器１９において放熱する。
【００４８】
室外熱交換器１９を流出した冷媒は、四方弁６２を通過した後、補助給湯用熱交換器１８に流入する。この冷媒は、補助給湯用熱交換器１８において、給湯回路４０の水を加熱する。補助給湯用熱交換器１８を流出した冷媒は、給湯用熱交換器１６を流出した冷媒と合流し、膨張機１４ａに吸入される。
【００４９】
膨張機１４ａに吸入された冷媒は膨張し、膨張機１４ａから吐出される。膨張機１４ａから吐出された冷媒は、四方弁６２を通過した後、室内熱交換器１７で蒸発し、室内空気を冷却する。室内熱交換器１７を流出した冷媒は、四方弁６１を通過し、圧縮機１３に吸入される。そして、圧縮機１３に吸入された冷媒は、再び圧縮機１３から吐出され、上述の循環動作を繰り返す。
【００５０】
なお、給湯回路４０の動作は、前述の暖房給湯運転の時と同様である。給湯利用回路５０は、必要に応じて運転される。
【００５１】
以上のように、本実施形態に係るヒートポンプ装置２によれば、暖房給湯運転だけでなく、冷房給湯運転も可能である。そして、暖房給湯運転および冷房給湯運転のいずれにおいても、第１実施形態と同様に、アンバランス防止用の特別の弁を設けなくても、第１冷媒流路１１と第２冷媒流路１２とにおける熱交換量のアンバランスを抑制することができる。
【産業上の利用可能性】
【００５２】
以上説明したように、本発明は、ヒートポンプ装置について有用である。
【図面の簡単な説明】
【００５３】
【図１】第１実施形態に係るヒートポンプ装置の回路構成図
【図２】第１実施形態の変形例に係るヒートポンプ装置の回路構成図
【図３】第２実施形態に係るヒートポンプ装置の回路構成図
【図４】第２実施形態に係るヒートポンプ装置の回路構成図
【符号の説明】
【００５４】
１      ヒートポンプ装置
１０    冷媒回路
１１    第１冷媒流路
１２    第２冷媒流路
１３    圧縮機
１４    膨張弁（減圧装置）
１５    並列回路
１６    給湯用熱交換器
１７    室内熱交換器（空気熱交換器）
１８    補助給湯用熱交換器
１９    室外熱交換器（蒸発器）
４０    給湯回路（水回路）
４１    貯湯タンク
４１ａ  貯湯タンクの導入部
４１ｂ  貯湯タンクの導出部
【図１】
2008014558.tif 000003
【図２】
2008014558.tif 000004
【図３】
2008014558.tif 000005
【図４】
2008014558.tif 000006